(57)【特許請求の範囲】
【請求項１】
帯状の台紙の剥離剤を塗布した面に、帯状の台紙の長手方向に所定間隔で仮着された印字面を有するラベルと、このラベルに所定間隔をおいて並設するとともに、一方の面に感圧性粘着剤、他方の面に粘着剤を有する補助ラベルを前記感圧性粘着剤を介して前記帯状の台紙に仮着し、
この補助ラベルの位置する側の前記ラベル印字面の一側辺に、感圧性粘着剤を有する透明フィルムの一側辺を透明フィルムに設けた感圧性粘着剤を介して設けるとともに、この透明フィルムを前記補助ラベル側に折り返して、前記補助ラベルに設けた粘着剤に仮着し、前記透明フィルムに設けられた感圧性粘着剤面を保護する剥離紙を仮着したことを特徴とするラベル連続体。
【請求項２】
前記透明フィルムは、前記ラベルの印字面全体を覆うように形成したことを特徴とする請求項１記載のラベル連続体。
【発明の詳細な説明】
【０００１】
【発明の属する技術分野】
本発明は、貼ったラベルの表面を透明フィルムで接着被覆して、ラベル表面を保護するようにしたラベル連続体に関する。
【０００２】
【従来の技術】
この種のラベル連続体は、貼ったラベルの印字、印刷等を保護する目的で、最近屋内外をとわず盛んに使用されており、一般的に三層構造になっている。即ち、台紙、ラベル、保護フィルムの順に積層されている。このような構造は、ラベル製造工程において、ラベルの表面に印刷等を施してから保護フィルムを予め被覆しておくものである。しかしながら、貼付物によっては、使用の都度ラベルを印字することが望まれている。
【０００３】
そこで、実開平４−４８５６０に、台紙、保護フィルム、ラベルの順に積層され、ラベルの外周にラベルとの間に切れ目を設けて位置するように構成した技術が開示されている。即ち、プリンタで使用の都度ラベルに印字して、ラベルを保護フィルムより剥離し、被着体に貼着したとき、外枠が保護フィルム上に残り、したがって保護フィルムは外枠付きとなっているので、ラベルを覆いながら保護フィルムを被着体に貼着する。
【０００４】
しかしながら、実開平４−４８５６０は、ラベルをプリンタなどで印字するために、ラベルが最上層面に位置しているので、被着体にラベルを貼着するときに、ラベルと保護フィルムとを別体で貼着することになる。即ち、ラベルを貼着後、このラベルを覆いながら被着体に保護フィルムを体裁よく貼着するものであるから、かなりの熟練を必要とする。また、かなりの熟練者においてもラベルと、保護フィルムと、を別体で貼着させるので、保護フィルムとラベルとの間のずれを防止することは極めて困難である。
【０００５】
さらに、ずれが生じないように保護フィルムをラベルで覆い接着しようとすると、ラベルと保護フィルムとの間に気泡が発生したり、保護フィルムに皺が発生するという問題がある。
【０００６】
【発明が解決しようとする課題】
本発明は、使用の都度プリンタなどでラベルに印字することができるとともに、さらに被着体に貼着するときに、ラベルと保護フィルムとの間にずれを生じることがないラベル連続体を提供するものである。
【０００７】
本発明は、使用の都度プリンタなどでラベルに印字することができるとともに、さらに被着体に貼着するときに、ラベルと保護フィルムとの間に気泡が発生することなく、かつ保護フィルムに皺が発生しないラベル連続体を提供するものである。
【０００８】
【課題を解決するための手段】
本発明は、ラベルと保護フィルムとを一体として、被着体に貼着することに着目したもので、帯状の台紙の剥離剤を塗布した面に、帯状の台紙の長手方向に所定間隔で仮着された印字面を有するラベルと、このラベルに所定間隔をおいて並設するとともに、一方の面に感圧性粘着剤、他方の面に粘着剤を有する補助ラベルを前記感圧性粘着剤を介して前記帯状の台紙に仮着し、この補助ラベルの位置する側の前記ラベル印字面の一側辺に、感圧性粘着剤を有する透明フィルムの一側辺を透明フィルムに設けた感圧性粘着剤を介して設けるとともに、この透明フィルムを前記補助ラベル側に折り返して、前記補助ラベルに設けた粘着剤に仮着し、前記透明フィルムに設けられた感圧性粘着剤面を保護する剥離紙を仮着したことを特徴とするラベル連続体にある。
【０００９】
したがって、使用の都度印字することができ、印字されたラベルは、透明フィルムの感圧接着剤に仮着された剥離紙を取り去り、補助ラベルから透明フィルムを起して、ラベルの表面に向けて覆い被せることができるので、極めて容易に透明フィルムをラベルの表面に接着させることができる。このようにして、透明フィルムがラベルの一側辺に保持しつつラベルの表面に極めて容易に接着できる。そして、ラベルと透明フィルムとが一体となって、台紙から剥離して、被着体に貼着するので、熟練者でなくてもラベルと透明フィルムとのずれや気泡の発生をすることなく、かつ透明フィルムの皺の発生を防止するものである。
【００１０】
【発明の実施の形態】
本発明の実施の形態を図１乃至図３に基づいて説明する。図１はラベル連続体の一部を示した平面図であり、図２は図１のII−II断面図である。ラベル連続体１０は、帯状の台紙１のシリコンなどの剥離剤２を塗布した面に、ラベル４を所定間隔で帯状の台紙１の長手方向に仮着し、このラベル４に所定間隔をおいて並設するとともに、一方の面に感圧性粘着剤３を有し、他方の面の少なくとも一部に粘着剤３ａ有する補助ラベル７が台紙１に仮着されている。ラベル４は、紙類からなるものであり、また粘着剤３ａは感圧性粘着剤あるいは両面テ−プなど粘着可能な部材であれば採用可能である。
【００１１】
一方の面に感圧性粘着剤３を塗布したラベル４は、感圧性粘着剤３を塗布した面を台紙１の剥離剤２を塗布した面に仮着するもので、ラベル４の他方の面には印字などが可能な印字面５を有している。また、所定間隔をおいてラベル４と、補助ラベル７と、が並設されており、この間に位置して感圧性粘着剤３を有する透明フィルム８の感圧性粘着剤３を塗布した面の一側辺を台紙１に仮着し、折り返して補助ラベル７の粘着剤３ａに仮着するとともに、露呈した透明フィルム８の感圧性粘着剤３の面を保護する剥離紙９を仮着したものである。本実施の形態では、透明フィルム８は、その一側辺が台紙１に仮着された部位と、ラベル４の印字面５の一側辺と、を覆うように構成されている。
【００１２】
剥離紙９は、透明フィルム８の、露出した感圧性粘着剤３の領域より、一回り大きく形成したものを設けるものが好ましい。さらに、剥離紙９はシリコンなどの剥離剤２を塗布した面が設けられており、この面が透明フィルム８の露呈した感圧性粘着剤３の面に仮着される。また、透明フィルム８は合成樹脂などからなるもので、また透明フィルム８の大きさは、ラベル４の印字面５を覆うように形成されているものが好ましいものである。
【００１３】
このような、構成と成したラベル連続体１０をロ−ル状に巻回して、バーコードなどを印字するプリンタ（図示せず）に装填し、ラベル４の印字面５にバーコード、文字などの情報を印字する。また、ラベル４の印字面５は、ラベル４の一側辺を透明フィルム８が覆っている近傍を除く部分に印字するものが好ましい。
【００１４】
印字されたラベル４は、透明フィルム８の感圧性粘着剤３を保護している剥離紙９を捲り取り去る。そして、透明フィルム８の台紙１に仮着された一側辺を保持するとともに、補助ラベル７から透明フィルム８を起こし、透明フィルム８の一側辺をラベルの印字面に保持されている部位からラベル４の印字面５に向けて圧着しつつ、ラベル４の印字面５に覆い被せて接着せしめる。また、このときの形成された状態の断面図を図３に示す。
【００１５】
透明フィルム８は、ラベル４より一回り大きく形成されているので、ラベル４の印字面５の全体を覆うことが可能である。このように、台紙１に仮着した部位と、ラベル４の印字面５の一側辺に貼着した部位とに保持された透明フィルム８をラベル４の印字面５に向けて圧着することにより、極めて容易にラベル４の印字面５を覆い接着させることができ、皺や気泡の発生が防止できる。そして、台紙１からラベル４と、ラベル４全体を覆った透明フィルム８が一体となって、剥離することができ、そして被着体（図示せず）に貼着するので、ラベル４と透明フィルム８とにずれが生じないものである。なお、図２および図３は大略的に示したものである。
【００１６】
本実施の形態は、これに限定するものではなく、たとえばラベル４とラベル４との相互間の台紙１の部分の幅方向にミシン目を施してもよく、また台紙１に塗布した剥離剤２を全面に塗布することなく、ラベル４と透明フィルム８の一側辺を仮着した部分だけに剥離剤２を塗布してもよい。
【００１７】
【発明の効果】
以上詳細に説明したように、本発明は使用の都度プリンタでラベルに印字することができ、かつ、透明フィルムの一側辺がラベルの印字面の一側辺に保持した状態で、補助ラベルから透明フィルムを起こして、その一側辺からラベルの印字面に向けて圧着、覆い被せることができるので、極めて容易にラベルの表面に透明フィルムを覆い被せて接着することができ、ラベルと透明フィルムとを一体で被着体に貼着するので、印字面に皺や気泡の発生が防止でき、かつラベルと透明フィルムとにずれを防止できる優れた効果を奏するものである。
【図面の簡単な説明】
【図１】ラベル連続体の一部を示した平面図である。
【図２】図１のII−II断面図である。
【図３】ラベルの印字面に透明フィルムを覆い被せて接着した状態の断面図である。
【符号の説明】
１  帯状の台紙（台紙）
２  剥離剤（シリコン）
３  感圧性粘着剤
３ａ  粘着剤
４  ラベル
５ 印字面
７  補助ラベル
８  透明フィルム
９  剥離紙
１０  ラベル連続体
【図１】
0003612382.tif 000002
【図２】
0003612382.tif 000003
【図３】
0003612382.tif 000004